(57)【要約】【課題】ダボ２８の形成に伴う器具本体１３の側面部２３での変形を防止でき、器具本体１３の外観を向上できる照明器具を提供する。【解決手段】器具本体１３は、金属板にて形成し、器具取付面部２１と器具取付面部２１の両側から折り曲げられた側面部２３とを有する。器具取付面部２１の外面からダボ２８を突出させる。ダボ２８の側面部２３と平行な両側には、側面部２３に対して平行に切込部２９を設ける。ダボ２８の形成に伴う側面部２３側へのひずみの影響を切込部２９で遮断し、側面部２３での変形を防止し、器具本体１３の外観を向上させる。【選択図】        図１
2004178911.tif 000002
【特許請求の範囲】
【請求項１】
金属板にて形成され、器具取付面部、器具取付面部の縁から折り曲げられた折曲部、器具取付面部の外面側に突出された突出部、および突出部と折曲部との間で折曲部に対して平行に設けられた切込部を有する器具本体を備えている
ことを特徴とする照明器具。
【請求項２】
切込部は、突出部の少なくとも折曲部に臨む側部位置に設けられた
ことを特徴とする請求項１記載の照明器具。
【請求項３】
折曲部に平行な方向の切込部の長さが、突出部の長さと略同じ長さ、および突出部の長さよりも長くなる長さのいずれか一方に設けられた
ことを特徴とする請求項１または２記載の照明器具。
【発明の詳細な説明】
【０００１】
【発明の属する技術分野】
本発明は、器具本体の器具取付面に突出部を設けた照明器具に関する。
【０００２】
【従来の技術】
従来、例えば直管形蛍光ランプを使用する天井直付形の照明器具では、天井面に器具本体が直付けされ、この器具本体に反射板やランプなどが取り付けられている。器具本体は、金属板にて、器具取付面部およびこの器具取付面部の両側縁からそれぞれ折り曲げられた折曲部を有する断面略コ字形に形成され、器具取付面部の外面には天井面に当接して器具本体を支える突出部であるダボが突出形成されている（例えば、特許文献１および２参照）。
【０００３】
ダボは、器具本体の両端近傍にそれぞれ１つずつまたは器具本体の長手方向と交差する方向に並んで２つずつ配置され、プレス加工によりダボの全周が器具取付面部に連続的につながった状態で突出形成されている。
【０００４】
【特許文献１】
特開平５−６２９１１号公報（図３（ｂ））
【０００５】
【特許文献２】
特開２０００−４８６２３号公報（図３）
【０００６】
【発明が解決しようとする課題】
ところで、照明器具の器具本体は、重量の軽減、省資源化、器具本体の加工の容易性などを目的として、器具本体の素材に薄く、軟らかい金属板が用いられ、さらに、器具本体の形状も細形になり、ダボと折曲部との距離が短くなる傾向がある。
【０００７】
このような傾向のため、ダボをプレス加工によりダボの全周が器具取付面部に連続的につながった状態で突出させている従来の照明器具では、ダボの周辺部が引っ張られて器具取付面部にひずみが発生しやすく、このダボの周辺部に発生したひずみ部分にかかって器具取付面部から折曲部を折り曲げた場合に、折曲部側に凹凸状の変形が発生し、特に器具本体が露出するタイプの照明器具では外観を損なう問題がある。
【０００８】
本発明は、このような点に鑑みなされたもので、突出部の形成に伴う器具本体の折曲部での変形を防止でき、器具本体の外観を向上できる照明器具を提供することを目的とする。
【０００９】
【課題を解決するための手段】
請求項１記載の照明器具は、金属板にて形成され、器具取付面部、器具取付面部の縁から折り曲げられた折曲部、器具取付面部の外面側に突出された突出部、および突出部と折曲部との間で折曲部に対して平行に設けられた切込部を有する器具本体を備えているものであり、突出部の形成に伴う折曲部側へのひずみの影響を切込部で遮断し、折曲部での変形を防止し、器具本体の外観を向上させる。
【００１０】
請求項２記載の照明器具は、請求項１記載の照明器具において、切込部は、突出部の少なくとも折曲部に臨む側部位置に設けられたものであり、突出部の形成に伴う折曲部側へのひずみの影響を確実に抑える。
【００１１】
請求項３記載の照明器具は、請求項１または２記載の照明器具において、折曲部に平行な方向の切込部の長さが、突出部の長さと略同じ長さ、および突出部の長さよりも長くなる長さのいずれか一方に設けられたものであり、折曲部側へのひずみの影響を確実に抑える。
【００１２】
【発明の実施の形態】
以下、本発明の一実施の形態を図面を参照して説明する。
【００１３】
図１ないし図４に第１の実施の形態を示し、図１は照明器具の器具本体の一部の斜視図、図２は照明器具の一部を切り欠いた端面図、図３は照明器具の平面図、図４は照明器具の側面図である。
【００１４】
照明器具１１は、ランプとして１本の直管形蛍光ランプ１２を使用する１灯形の天井直付け形照明器具で、器具本体１３、この器具本体１３に取り付けられる反射体１４、器具本体１３の両端に取り付けられる一対のランプソケット１５、および器具本体１３内に配置される点灯装置１６や図示しない端子台などを備えている。
【００１５】
器具本体１３は、金属板にて、直管形蛍光ランプ１２の長手方向に対応して長尺に形成され、天井面などの設置面に取り付けられる器具取付面部２１、およびこの器具取付面部２１の長手方向と交差する両側縁から曲げ部２２を介して略直角に折り曲げられた折曲部としての側面部２３を有する断面略コ字形に形成され、両端内側には端板２４がそれぞれ取り付けられている。
【００１６】
器具本体１３の器具取付面部２１の中央には、電源線が挿通する挿通孔２５が形成され、両端側には、設置面に設置されたボルトまたは設置面から吊り下げられた鎖やワイヤなどの吊下部材を取り付けるためのだるま孔状の取付孔２６、および設置面に対して器具本体１３を直付けする場合にねじで取り付けるための長孔２７がそれぞれ形成されている。
【００１７】
器具本体１３の器具取付面部２１の両端近傍には、設置面に器具本体１３を直付けする場合に設置面に当接して器具本体１３の外面を設置面から離反した状態で器具本体１３を支える突出部としての複数のダボ２８が、器具本体１３の長手方向と交差する方向に２つずつ並んで配置されるとともに器具取付面部２１の外面から突出するようにプレス加工によって形成されている。
【００１８】
各ダボ２８は、器具本体１３の長手方向すなわち側面部２３に平行な方向に長く、器具本体１３の長手方向と交差する両側すなわち側面部２３と平行な両側に切込部２９がそれぞれ形成され、これら両側の切込部２９を介して切り起こし形成されている。各ダボ２８には、設置面に当接する平面状の当接部３０、器具本体１３の長手方向の両側において当接部３０と器具取付面部２１とをつなぐ傾斜状の連結部３１が形成されている。側面部２３に平行な方向のダボ２８の長さと切込部２９の長さとは、略同じ長さ、またはダボ２８の長さより切込部２９の長さが長くなるように設けられている。
【００１９】
器具本体１３の器具取付面部２１の２つのダボ２８間の近傍には、取付用などに適宜使用されるだるま孔状の孔部３２が形成されている。
【００２０】
そして、照明器具１１では、器具本体１３の器具取付面部２１の外面から突出するダボ２８の側面部２３と平行な両側でその側面部２３に対して平行に切込部２９を設けたため、ダボ２８の形成に伴う側面部２３側へのひずみの影響を切込部２９で遮断し、側面部２３での変形を防止でき、器具本体１３の外観を向上できる。
【００２１】
側面部２３に平行な方向のダボ２８の長さと切込部２９の長さとは、略同じ長さ、またはダボ２８の長さより切込部２９の長さが長くなるように設けたため、側面部２３側へのひずみの影響を確実に抑えることができる。
【００２２】
なお、ダボ２８が器具本体１３の長手方向と交差する方向に２つずつ並んで配置される場合に、各ダボ２８の側面部２３に平行な両側に切込部２９を設けた方がダボ２８の形成に伴う側面部２３側へのひずみの発生をより抑えることできるが、各ダボ２８の少なくとも側面部２３に臨む側つまり近い側にのみ切込部２９を設けるだけでも、側面部２３側へのひずみの影響を抑えることができる。
【００２３】
次に、図５に第２の実施の形態を示し、図５は照明器具の器具本体の一部の斜視図である。
【００２４】
器具本体１３の器具取付面部２１に設けるダボ２８は１つの場合であり、このダボ２８は、器具本体１３の長手方向と交差する方向に幅広で、器具本体１３の長手方向と交差する両側すなわち側面部２３と平行な両側に切込部２９がそれぞれ形成され、これら両側の切込部２９を介して切り起こし形成されている。側面部２３に平行な方向のダボ２８の長さと切込部２９の長さとは、略同じ長さ、またはダボ２８の長さより切込部２９の長さが長くなるように設けられている。
【００２５】
この場合にも、器具本体１３の器具取付面部２１の外面から突出するダボ２８の側面部２３と平行な両側でその側面部２３に対して平行に切込部２９を設けたため、ダボ２８の形成に伴う側面部２３側へのひずみの影響を切込部２９で遮断し、側面部２３での変形を防止でき、器具本体１３の外観を向上できる。
【００２６】
側面部２３に平行な方向のダボ２８の長さと切込部２９の長さとは同じ長さに設けたため、側面部２３側へのひずみの影響を確実に抑えることができる。
【００２７】
なお、各実施の形態において、切込部２９の位置は、ダボ２８の切り起こし位置に設けた方がダボ２８の形成に伴う側面部２３側へのひずみの発生を最も抑えることできるが、ダボ２８の切り起こし位置から離しても、ダボ２８と側面部２３との間の位置にあれば、側面部２３側へのひずみの影響を抑えることができる。
【００２８】
【発明の効果】
請求項１記載の照明器具によれば、器具本体の器具取付面部の外面から突出する突出部と折曲部との間で折曲部に対して平行に切込部を設けたため、突出部の形成に伴う折曲部側へのひずみの影響を切込部で遮断し、折曲部での変形を防止でき、器具本体の外観を向上できる。
【００２９】
請求項２記載の照明器具によれば、請求項１記載の照明器具の効果に加えて、切込部を突出部の少なくとも折曲部に臨む側部位置に設けたため、突出部の形成に伴う折曲部側へのひずみの影響を確実に抑えることができる。
【００３０】
請求項３記載の照明器具によれば、請求項１または２記載の照明器具の効果に加えて、折曲部に平行な方向の切込部の長さが、突出部の長さと略同じ長さ、および突出部の長さよりも長くなる長さのいずれか一方に設けたため、折曲部側へのひずみの影響を確実に抑えることができる。
【図面の簡単な説明】
【図１】本発明の第１の実施の形態を示す照明器具の器具本体の一部の斜視図である。
【図２】同上照明器具の一部を切り欠いた端面図である。
【図３】同上照明器具の平面図である。
【図４】同上照明器具の側面図である。
【図５】本発明の第２の実施の形態を示す照明器具の器具本体の一部の斜視図である。
【符号の説明】
１１    照明器具
１３    器具本体
２１    器具取付面部
２３    折曲部としての側面部
２８    突出部としてのダボ
２９    切込部
【図１】
2004178911.tif 000003
【図２】
2004178911.tif 000004
【図３】
2004178911.tif 000005
【図４】
2004178911.tif 000006
【図５】
2004178911.tif 000007